(57)【要約】【課題】壁面に垂直にクリートを設置する場合にケーブルが自重で落下したり位置ずれを起こしたりすることがなく容易にケーブルの固定作業ができ、作業効率が向上するクリートを提供する。【解決手段】上面に凹部が２個形成された底部クリート部材１、底面に凹部が形成された左側クリート部材２及び右側クリート部材３、上面に凹部が形成された中側クリート部材４、及び底面に凹部が形成された上部クリート部材５の５つの部材からなり、底部クリート部材１（本体部分）と左側クリート部材２（蓋部分）との組み合わせによりケーブル貫通孔８が、底部クリート部材１（本体部分）と右側クリート部材３（蓋部分）との組み合わせによりケーブル貫通孔９が、中側クリート部材４（本体部分）と上部クリート部材５（蓋部分）との組み合わせによりケーブル貫通孔１１がそれぞれ形成され、ケーブル貫通孔８，９，１１を構成する本体部分の凹部の面積の方が蓋部分の凹部の面積よりも大きくなるように形成されている。【選択図】  図１
2005033872.tif 000002
【特許請求の範囲】
【請求項１】
外表面に凹部が形成された本体部分と、内表面に凹部が形成された蓋部分とを組み合わせることによりケーブル貫通孔を構成してケーブルを把持するクリートにおいて、前記本体部分の凹部の面積が、前記蓋部分の凹部の面積よりも大きくなるように形成されていることを特徴とする壁面布設用クリート。
【請求項２】
前記本体部分の凹部の一方の端部が、前記ケーブル貫通孔の中心を通る水平面より低くなるように形成されていることを特徴とする請求項１記載の壁面布設用クリート。
【請求項３】
外表面に凹部が２個形成された第１のクリート部材と、
該第１のクリート部材と組み合わされてそれぞれ第１のケーブル貫通孔、第２のケーブル貫通孔を形成する、内表面に凹部が形成された第２、第３のクリート部材と、
該第２、第３のクリート部材の外表面に接して配され、かつ外表面に凹部が形成された第４のクリート部材と、
該第４のクリート部材と組み合わされて第３のケーブル貫通孔を形成する、内表面に凹部が形成された第５のクリート部材とを有し、
第１のケーブル貫通孔を形成する第１のクリート部材の凹部の面積が第２のクリート部材の凹部の面積よりも大きく、第２のケーブル貫通孔を形成する第１のクリート部材の凹部の面積が第３のクリート部材の凹部の面積よりも大きく、第３のケーブル貫通孔を形成する第４のクリート部材の凹部の面積が第５のクリート部材の凹部の面積よりも大きく形成されていることを特徴とする壁面布設用クリート。
【請求項４】
前記第１乃至第３のケーブル貫通孔のうちの任意のケーブル貫通孔の中心と当該ケーブル貫通孔の一部を構成する凹部の面積が大きく形成されたクリート部材の凹部の一端とを結ぶ線と、当該ケーブル貫通孔の中心と当該クリート部材の凹部の他端とを結ぶ線とがなす角度αが１８０°よりも大きく、２２０°よりも小さいことを特徴とする請求項３記載の壁面布設用クリート。
【請求項５】
前記第１乃至第３のケーブル貫通孔のうちの任意のケーブル貫通孔の一部を構成し凹部の面積が大きく形成されたクリート部材の凹部の一方の端部が、当該ケーブル貫通孔の中心を通る水平面より低くなるように形成されていることを特徴とする請求項３記載の壁面布設用クリート。
【発明の詳細な説明】
【０００１】
【発明の属する技術分野】
本発明は、電力ケーブルを固定するためのクリートに係り、特に、洞道内の壁面等に取り付けるタイプのクリートに関するものである。
【０００２】
【従来の技術】
従来の三条一括型クリートとして、特許文献１に示すものがある。この三条一括型クリートは、図９に示すように、上面に二個の半円形状の凹部を形成した底部クリート部材２１と、底面に二個の半円形状の凹部を形成し、且つ上面中央に同形状の凹部を形成した中間クリート部材２２と、底面中央部に半円形状の凹部を形成した上部クリート部材２３とを組み合わせた構成とされている。更に、中間クリート部材２２は、左側クリート片２２ａ、右側クリート片２２ｂ、及び上側クリート片２２ｃに三分割されており、左側クリート片２２ａ及び底部クリート部材２１によりケーブル貫通孔２４を形成し、右側クリート片２２ｂ及び底部クリート部材２１によりケーブル貫通孔２５を形成し、上側クリート片２２ｃ及び上部クリート部材２３によりケーブル貫通孔２６が形成されるようになっている。
【０００３】
この三条一括型クリート２０を用いて三条の電力ケーブルを固定するには、まず、底部クリート部材２１の左側又は右側のいずれかの凹部にケーブルを布設し、対応する左側クリート片２２ａ又は右側クリート片２２ｂを装着した後、底部クリート部材２１の他方の凹部にケーブルを布設して対応する左側クリート片２２ａ又は右側クリート片２２ｂを装着し、更に上側クリート片２２ｃを固定してその凹部にケーブルを布設して最後に上部クリート部材２３を固定する。このため、上記三条一括型クリート２０によれば、三条のケーブルを一条ずつ固定することが可能となる。
【０００４】
【特許文献１】
特開２００１−２７５２４２号公報
【０００５】
【発明が解決しようとする課題】
しかしながら、洞道内のような鉛直方向に延びる内壁面に三条のケーブルを固定する場合に上記の三条一括型クリート２０を用いると、底部クリート部材２１の凹部にケーブルを配置した際にケーブルが自重で落下したり、位置ずれを起こしたりして、ケーブルの固定作業が非常に困難になり、作業に長時間を要してしまうという不都合があった。
【０００６】
従って、本発明の目的は、壁面に垂直にクリートを設置する場合にケーブルが自重で落下したり位置ずれを起こしたりすることがなく容易にケーブルの固定作業ができ、作業効率が向上するクリートを提供することである。
【０００７】
【課題を解決するための手段】
上記目的を達成するために本発明の壁面布設用クリートは、外表面に凹部が形成された本体部分と、内表面に凹部が形成された蓋部分とを組み合わせることによりケーブル貫通孔を構成してケーブルを把持するクリートにおいて、前記本体部分の凹部の面積が、前記蓋部分の凹部の面積よりも大きくなるように形成されていることを特徴とする。
【０００８】
前記本体部分の凹部の一方の端部が、前記ケーブル貫通孔の中心を通る水平面より低くなるように形成することが好ましい。
【０００９】
また、本発明の壁面布設用クリートは、外表面に凹部が２個形成された第１のクリート部材と、該第１のクリート部材と組み合わされてそれぞれ第１のケーブル貫通孔、第２のケーブル貫通孔を形成する、内表面に凹部が形成された第２、第３のクリート部材と、該第２、第３のクリート部材の外表面に接して配され、かつ外表面に凹部が形成された第４のクリート部材と、該第４のクリート部材と組み合わされて第３のケーブル貫通孔を形成する、内表面に凹部が形成された第５のクリート部材とを有し、第１のケーブル貫通孔を形成する第１のクリート部材の凹部の面積が第２のクリート部材の凹部の面積よりも大きく、第２のケーブル貫通孔を形成する第１のクリート部材の凹部の面積が第３のクリート部材の凹部の面積よりも大きく、第３のケーブル貫通孔を形成する第４のクリート部材の凹部の面積が第５のクリート部材の凹部の面積よりも大きく形成されていることを特徴とする。
【００１０】
前記第１乃至第３のケーブル貫通孔のうちの任意のケーブル貫通孔の中心と当該ケーブル貫通孔の一部を構成する凹部の面積が大きく形成されたクリート部材の凹部の一端とを結ぶ線と、当該ケーブル貫通孔の中心と当該クリート部材の凹部の他端とを結ぶ線とがなす角度αが１８０°よりも大きく、２２０°よりも小さいことが好ましい。
【００１１】
前記第１乃至第３のケーブル貫通孔のうちの任意のケーブル貫通孔の一部を構成し凹部の面積が大きく形成されたクリート部材の凹部の一方の端部が、当該ケーブル貫通孔の中心を通る水平面より低くなるように形成されていることが好ましい。
【００１２】
【発明の実施の形態】
図１（ａ），（ｂ）は、本発明の壁面布設用クリートの一実施の形態を示すものであり、三条のケーブルを固定する三条一括型クリートの例である。図１（ａ）は、その平面図であり、図１（ｂ）は正面図である。
【００１３】
この三条一括型クリート１０は、上面に凹部が２個形成された底部クリート部材１、底面に凹部が形成された左側クリート部材２及び右側クリート部材３、上面に凹部が形成された中側クリート部材４、及び底面に凹部が形成された上部クリート部材５の５つの部材からなり、底部クリート部材１と左側クリート部材２との組み合わせによりケーブル貫通孔８が、底部クリート部材１と右側クリート部材３との組み合わせによりケーブル貫通孔９が、中側クリート部材４と上部クリート部材５との組み合わせによりケーブル貫通孔１１がそれぞれ形成されるようになっている。このため、上記構成においては、底部クリート部材１が二条のケーブルを把持する本体部分となり、左側クリート部材２及び右側クリート部材３が同ケーブルを把持する蓋部分とされる。また、中側クリート部材４が上部の一条のケーブルを把持する本体部分となり、上部クリート部材５が同ケーブルを把持する蓋部分とされる。
【００１４】
ここで、この三条一括型クリート１０では、ケーブル貫通孔８，９，１１を構成する本体部分の凹部の面積の方が蓋部分の凹部の面積よりも大きくなるように形成されている。例えば、図１（ｂ）に示すように、ケーブル貫通孔１１を構成する中側クリート部材４の凹部の面積は、上部クリート部材５の凹部の面積よりも大きくなるように形成されている。即ち、ケーブル貫通孔１１の中心と中側クリート部材４の凹部の左端とを結ぶ線と、ケーブル貫通孔１１の中心と中側クリート部材４の凹部の右端とを結ぶ線とがなす角度αは、ケーブル貫通孔１１の中心と上部クリート部材５の凹部の左端とを結ぶ線と、ケーブル貫通孔１１の中心と上部クリート部材５の凹部の右端とを結ぶ線とがなす角度βよりも大きくなっている。上記角度αは、１８０°よりも大きく、２２０°よりも小さいことが好ましい。上記角度以下では壁面にケーブルを設置する際にケーブルが落下し易くなる。一方、上記角度以上では凹部へケーブルが挿入しにくくなる。更に、中側クリート４の凹部の左側端部は、ケーブルの挿入を容易にするため、ケーブル貫通孔１１の中心を通る水平面より１°〜１５°低くなるように形成されている。上記の関係は他の２つのケーブル貫通孔８，９を構成するクリート部材についても同様に当てはまる。
【００１５】
また、図２（ａ），（ｂ）は、下側のケーブル貫通孔８，９を形成する底部クリート部材１、左側クリート部材２、及び右側クリート部材３の構成のみを示したものであり、（ａ）は平面図、（ｂ）は正面図である。これらの部材は、ボルト穴７に固定ボルト６を挿入することによって相互に固定されるようになっている。
【００１６】
なお、上記の「底部」、「左側」、「右側」、「上部」等の位置関係を示す用語は、水平面上に位置している部材の位置関係に基づき便宜的に用いたものであり、垂直布設された場合においてまで、その位置関係を示すものではない。
【００１７】
次に、この三条一括型クリート２０を用いて壁面に三条の電力ケーブルを固定する方法を図３乃至図７により説明する。
【００１８】
まず、図３に示すように、底部クリート部材１を壁１２に固定し、ケーブル貫通孔９の部分にケーブル１３を布設後、右側クリート部材３を装着し、ボルト穴７に固定ボルト６を挿入してケーブル１３をクリートに固定する。
【００１９】
次に、図４に示すように、ケーブル貫通孔８の部分にケーブル１３を布設後、左側クリート部材２を装着し、ボルト穴７に固定ボルト６を挿入してケーブル１３をクリートに固定する。
【００２０】
更に、図５に示すように、中側クリート部材４を、左側クリート部材２及び右側クリート部材３の外方に固定ボルト６により固定する。
【００２１】
次に、図６に示すように、ケーブル貫通孔１１の部分にケーブル１３を布設後、上部クリート部材５を装着し、ボルト穴７に固定ボルト６を挿入してケーブル１３をクリートに固定する。これより、図７に示すように、壁面１２に三条の電力ケーブル１３が固定される。
【００２２】
図８は、洞道１５の内側壁面に固定治具１４を介して本実施形態の三条一括型クリート１０を複数取り付け、ケーブル１３・・・を固定したものである。ケーブル１３・・・は壁面に沿ってたわませ、蛇行させて布設されている。本実施形態の三条一括型クリート１０を用いることによって、洞道１５内にケーブルをコンパクトに布設することができる。
【００２３】
本実施形態の三条一括型クリート１０によれば、以下の効果を奏することができる。
（１）ケーブル貫通孔８，９，１１を構成する本体部分の凹部の面積の方が蓋部分の凹部の面積よりも大きくなるように形成されているので、垂直布設の場合にケーブル１３の落下や抜け出しを防止できるので、ケーブル１３の固定作業の効率が大幅に向上し、作業時間も従来に比べて短縮することが可能となる。
（２）本体部分の凹部の左側端部は、ケーブル貫通孔１１の中心を通る水平面より１°〜１５°低くなるように形成されているので、ケーブル１３の挿入が容易になる。
（３）ケーブル貫通孔８，９，１１を構成する蓋部分を、左側クリート部材２、右側クリート部材３、及び上部クリート部材５の３つに分けているので、三条のケーブルを一条ずつ独立して固定することが可能となり、作業性が向上する。
【００２４】
なお、上記実施形態では、底部クリート部材１として凹部を２つ有するものを示したが、凹部の個数は１つでも、また、３つ以上でも可能である。また、下部に二条のケーブルを固定し、上部に一条のケーブルを固定する２段構造としたが、３段構造とすることも可能である。また、通常の水平布設や傾斜地のような傾斜布設にも同様に使用できることは勿論である。
【００２５】
【発明の効果】
以上説明したとおり、本発明の壁面布設用クリートは、本体部分の凹部の面積が、蓋部分の凹部の面積よりも大きくなるように形成されているので、壁面布設の場合にケーブルの落下や位置ずれ、抜け出しを防止できる。このため、ケーブルの固定作業の効率が大幅に向上し、作業時間も従来に比べて短縮することが可能となる。
【００２６】
また、本体部分の凹部の一方の端部を、ケーブル貫通孔の中心を通る水平面より低くなるように形成することにより、当該凹部へのケーブルの挿入が容易となり作業効率を向上させることができる。
【図面の簡単な説明】
【図１】本発明の壁面布設用クリートの一実施形態を示す図であり、（ａ）は、平面図、（ｂ）は正面図である。
【図２】本発明の壁面布設用クリートの一実施形態の一部分を示す図であり、（ａ）は、平面図、（ｂ）は正面図である。
【図３】本実施形態のケーブル固定方法を説明する正面図である。
【図４】本実施形態のケーブル固定方法を説明する正面図である。
【図５】本実施形態のケーブル固定方法を説明する正面図である。
【図６】本実施形態のケーブル固定方法を説明する正面図である。
【図７】本実施形態のケーブル固定方法を説明する正面図である。
【図８】本発明の壁面布設用クリートの一実施形態を用いて洞道内にケーブルを布設した例を示す正面図である。
【図９】従来の三条一括型クリートを示す正面図である。
【符号の説明】
１  底部クリート部材（本体部分、第１のクリート部材）
２  左側クリート部材（蓋部分、第２のクリート部材）
３  右側クリート部材（蓋部分、第３のクリート部材）
４  中側クリート部材（本体部分、第４のクリート部材）
５  上部クリート部材（蓋部分、第５のクリート部材）
８  ケーブル貫通孔（第１のケーブル貫通孔）
９  ケーブル貫通孔（第２のケーブル貫通孔）
１０  三条一括型クリート
１１  ケーブル貫通孔（第３のケーブル貫通孔）
１３  ケーブル
【図１】
2005033872.tif 000003
【図２】
2005033872.tif 000004
【図３】
2005033872.tif 000005
【図４】
2005033872.tif 000006
【図５】
2005033872.tif 000007
【図６】
2005033872.tif 000008
【図７】
2005033872.tif 000009
【図８】
2005033872.tif 000010
【図９】
2005033872.tif 000011